(57)【要約】【課題】手間の増加が発生せずに、複数のＰＯＳシステムを設置するために必要なスペースを小さくすることが可能な金銭管理システム提供する。【解決手段】入力部１１が開放指示を受け付けると、制御部１５は、キャッシュドロワが接続されているか否かを判定する。キャッシュドロワが接続されていると、制御部１５は、その接続されたキャッシュドロワを開く。一方、キャッシュドロワが接続されていないと、送信部２３は、キャッシュドロワが接続されたＰＯＳレジスタに、開放指示を送信する。受信部１２は開放指示を受信すると、制御部１５は、キャッシュドロワを開く。【選択図】図５
2007286878.tif 000002
【特許請求の範囲】
【請求項１】
端末機と、前記端末機およびキャッシュドロワとに接続されたキャッシュドロワ制御装置と、を含む金銭管理システムであって、
前記端末機は、
ユーザから前記キャッシュドロワを開ける旨の開放指示を受け付ける入力部と、
前記入力部が受け付けた開放指示を、前記キャッシュドロワ制御装置に送信する送信部と、を含み、
前記キャッシュドロワ制御装置は、
前記端末機から前記開放指示を受信する受信部と、
ユーザから前記開放指示を受け付ける受付部と、
前記受信部が前記開放指示を受信したとき、および、前記受付部が前記開放指示を受け付けたとき、前記キャッシュドロワを開ける制御部と、を含む、金銭管理システム。
【請求項２】
少なくとも一つはキャッシュドロワと接続された複数の端末機を含む金銭管理システムであって、
各端末機は、
前記キャッシュドロワを開ける旨の開放指示を受け付ける入力部と、
前記キャッシュドロワが接続されている際に、他の端末機から前記開放指示を受信する受信部と、
前記受信部が前記開放指示を受信すると、前記接続されたキャッシュドロワを開け、また、前記入力部が前記開放指示を受け付けると、前記キャッシュドロワが接続されているか否かを判定し、前記キャッシュドロワが接続されていると判定すると、前記接続されたキャッシュドロワを開ける制御部と、
前記制御部にて前記キャッシュドロワが接続されていないと判定されると、前記キャッシュドロワと接続された端末機に、前記開放指示を送信する送信部と、を含む、金銭管理システム。
【請求項３】
請求項２に記載の金銭管理システムにおいて、
各端末機は、記憶部をさらに含み、
前記入力部は、前記開放指示の送信先となる端末機を特定する送信先識別情報を受け付け、
前記制御部は、前記入力部が前記送信先識別情報を受け付けると、該送信先識別情報を前記記憶部に記憶し、また、前記入力部が前記開放指示を受け付けると、前記記憶部に前記送信先識別情報が記憶されているか否かを確認し、前記送信先識別情報が記憶されていないと確認すると、前記キャッシュドロワが接続されているか否かを判定し、
前記送信部は、前記制御部にて前記送信先識別情報が記憶されていると確認されると、該送信先識別情報にて特定される端末機に、前記開放指示を送信する、金銭管理システム。
【請求項４】
請求項２に記載の金銭管理システムにおいて、
各端末機は、
該端末機を特定する識別情報を記憶する記憶部と、
前記現在の日時を測定する測定部と、
前記制御部にて前記キャッシュドロワが接続されていないと判定されると、前記測定部から現在の日時を取得し、かつ、前記記憶部から前記識別情報を取得する生成部と、をさらに含み、
前記送信部は、前記生成部が取得した日時および識別情報を前記キャッシュドロワと接続された端末機にさらに送信し、
前記キャッシュドロワが接続された端末機の受信部は、他の端末機から、前記日時および識別情報を受信し、
前記キャッシュドロワが接続された端末機の記憶部は、前記受信部が受信した日時および識別情報を関連づけて記憶する、金銭管理システム。
【請求項５】
請求項３に記載の金銭管理システムにおいて、
各端末機の記憶部は、該端末機を特定する識別情報を記憶し、
各端末機は、
前記現在の日時を測定する測定部と、
前記制御部にて前記送信先識別情報が記憶されていると確認されると、前記測定部から現在の日時を取得し、かつ、前記記憶部から前記識別情報を取得する生成部と、をさらに含み、
前記送信部は、前記生成部が取得した日時および識別情報を前記送信先識別情報にて特定される端末機にさらに送信し、
前記キャッシュドロワが接続された端末機の受信部は、他の端末機から、前記日時および識別情報を受信し、
前記キャッシュドロワが接続された端末機の記憶部は、前記受信部が受信した日時および識別情報を関連づけて記憶する、金銭管理システム。
【請求項６】
請求項２に記載の金銭管理システムにおいて、
前記入力部は、前記開放指示を含み顧客が購入した商品の決済を行う旨の会計確定指示を受け付け、
前記制御部は、前記入力部が前記会計確定指示を受け付けると、前記顧客が購入した商品の合計金額を計算し、かつ、前記キャッシュドロワが接続されているか否かを判定し、
前記送信部は、前記制御部にて前記キャッシュドロワが接続されていないと判定されると、前記合計金額を前記キャッシュドロワと接続された端末機にさらに送信し、
前記キャッシュドロワに接続された端末機の受信部は、他の端末機から前記合計金額をさらに受信し、
前記キャッシュドロワに接続された端末機は、
前記キャッシュドロワに収納されているべき現金の計算金額を記憶する記憶部と、
前記受信部が受信した合計金額を前記記憶部に記憶された計算金額に加え、前記合計金額が加えられた計算金額に、前記記憶部に記憶された計算金額を更新する管理部と、をさらに含む、金銭管理システム。
【請求項７】
請求項３に記載の金銭管理システムにおいて、
前記入力部は、前記開放指示を含み顧客が購入した商品の決済を行う旨の会計確定指示を受け付け、
前記制御部は、前記入力部が前記会計確定指示を受け付けると、前記顧客が購入した商品の合計金額を計算し、かつ、前記送信先識別情報が記憶されているか否かを確認し、
前記送信部は、前記制御部にて前記送信先識別情報が記憶されていると確認されると、前記合計金額を前記送信先識別情報にて特定される端末機にさらに送信し、
前記キャッシュドロワに接続された端末機の記憶部は、該キャッシュドロワに収納されているべき現金の計算金額を記憶し、
前記キャッシュドロワに接続された端末機の受信部は、他の端末機から前記合計金額をさらに受信し、
前記キャッシュドロワに接続された端末機は、前記受信部が受信した合計金額を前記記憶部に記憶された計算金額に加え、前記合計金額が加えられた計算金額に、前記記憶部に記憶された計算金額を更新する管理部をさらに含む、金銭管理システム。
【請求項８】
少なくとも一つは自動釣銭機と接続された複数の端末機を含む金銭管理システムであって、
各端末機は、
前記自動釣銭機が接続されている際に、該自動釣銭機から該自動釣銭機に入金された現金の支払金額を受信する接続部と、
前記自動釣銭機が接続されている際に、他の端末機から顧客が購入した商品の合計金額を受信する受信部と、
顧客が購入した商品の決済を行う旨の会計確定指示を受け付ける入力部と、
前記入力部が前記会計確定指示を受け付けると、前記合計金額を計算し、その後、前記自動釣銭機が接続されているか否かを判定し、前記自動釣銭機が接続されていると判定されるとき、および、前記受信部が前記合計金額を受信したとき、前記合計金額を前記支払金額から減算して釣銭額を算出し、該釣銭額の現金を排出する旨の排出指示を前記自動釣銭機に送信する制御部と、
前記制御部にて前記自動釣銭機が接続されていないと判定されると、前記自動釣銭機が接続された端末機に、前記合計金額を送信する送信部と、を含む金銭管理システム。
【請求項９】
端末機と、前記端末機およびキャッシュドロワとに接続されたキャッシュドロワ制御装置と、を含む金銭管理システムが行うキャッシュドロワ開放方法であって、
前記端末機が、ユーザから前記キャッシュドロワを開ける旨の開放指示を受け付ける入力ステップと、
前記端末機が、前記受け付けられた開放指示を、前記キャッシュドロワ制御装置に送信する送信ステップと、
前記キャッシュドロワ制御装置が、前記端末機から前記開放指示を受信する受信ステップと、
前記キャッシュドロワ制御装置が、前記開放指示が受信されると、前記キャッシュドロワを開ける開放ステップと、
前記キャッシュドロワ制御装置が、ユーザから前記開放指示を受け付ける受付ステップと、
前記キャッシュドロワ制御装置が、前記開放指示が受け付けられると、前記キャッシュドロワを開ける制御ステップと、を含むキャッシュドロワ開放方法。
【請求項１０】
少なくとも一つはキャッシュドロワと接続された複数の端末機を含む金銭管理システムが行うキャッシュドロワ開放方法であって、
各端末機が、前記キャッシュドロワを開ける旨の開放指示を受け付ける入力ステップと、
各端末機が、前記開放指示が受け付けられると、前記キャッシュドロワが接続されているか否かを判定する判定ステップと、
各端末機が、前記キャッシュドロワが接続されていると判定されると、前記接続されたキャッシュドロワを開ける開放ステップと、
各端末機が、前記キャッシュドロワが接続されていないと判定されると、前記キャッシュドロワと接続された端末機に、前記開放指示を送信する送信ステップと、
前記キャッシュドロワと接続された端末機が、他の端末機から前記開放指示を受信する受信ステップと、
前記キャッシュドロワと接続された端末機が、前記開放指示が受信されると、前記接続されたキャッシュドロワを開ける制御ステップと、を含むキャッシュドロワ開放方法。
【請求項１１】
請求項１０に記載のキャッシュドロワ開放方法において、
各端末機は、記憶部を含み、
各端末機が、前記開放指示の送信先となる端末機を特定する送信先識別情報を受け付ける受付ステップと、
各端末機が、前記受付ステップにて前記送信先識別情報が受け付けられると、該送信先識別情報を前記記憶部に記憶する記憶ステップと、
各端末機が、前記入力ステップにて前記開放指示が受け付けられると、前記記憶部に前記送信先識別情報が記憶されているか否かを確認する確認ステップと、
各端末機が、前記送信先識別情報が記憶されていないと確認されると、前記キャッシュドロワが接続されているか否かを判定する判断ステップと、
各端末機が、前記前記送信先識別情報が記憶されていると確認されると、該送信先識別情報にて特定される端末機に、前記開放指示を送信する出力ステップと、をさらに含むキャッシュドロワ開放方法。
【請求項１２】
請求項１０に記載のキャッシュドロワ開放方法において、
各端末機は、現在の日時を測定する測定部と、該端末機を特定する識別情報を記憶する記憶部を含み、
各端末機が、前記キャッシュドロワが接続されていないと判定されると、前記測定部から現在の日時を取得し、かつ、前記記憶部から前記識別情報を取得する取得ステップと、
各端末機が、前記取得された日時および識別情報を前記キャッシュドロワと接続された端末機に送信する識別送信ステップと、
前記キャッシュドロワと接続された端末機が、他の端末機から前記現在の日時および識別情報を受信する識別受信ステップと、
前記キャッシュドロワと接続された端末機が、前記受信された現在の日時および識別情報を関連づけて前記記憶部に記憶する記録ステップと、をさらに含むキャッシュドロワ開放方法。
【請求項１３】
請求項１１に記載のキャッシュドロワ開放方法において、
前記記憶部は、自己を特定する識別情報を記憶し、
各端末機は、前記現在の日時を測定する測定部をさらに含み、
各端末機が、前記送信先識別情報が記憶されていると確認されると、前記測定部から現在の日時を取得し、かつ、前記記憶部から前記識別情報を取得する取得ステップと、
各端末機が、前記取得された日時および識別情報を、前記送信先識別情報にて特定される端末機に送信する識別送信ステップと、
前記キャッシュドロワが接続された端末機が、他の端末機から前記現在の日時および識別情報を受信する識別受信ステップと、
前記キャッシュドロワが接続された端末機が、前記受信された現在の日時および識別情報を関連づけて前記記憶部に記憶する記録ステップと、をさらに含むキャッシュドロワ開放方法。
【請求項１４】
請求項１０に記載のキャッシュドロワ開放方法において、
各端末機は、前記キャッシュドロワに収納されているべき現金の計算金額を記憶する記憶部を含み、
各端末機が、前記開放指示を含み顧客が購入した商品の決済を行う旨の会計確定指示を受け付ける受理ステップと、
各端末機が、前記受理ステップにて前記会計確定指示が受け付けられると、前記顧客が購入した商品の合計金額を計算する計算ステップと、
各端末機が、前記キャッシュドロワが接続されていないと判定されると、前記合計金額を前記キャッシュドロワと接続された端末機に送信する金額送信ステップと、
前記キャッシュドロワと接続された端末機が、他の端末機から前記合計金額を受信する金額受信ステップと、
前記キャッシュドロワと接続された端末機が、前記受信された合計金額を前記記憶部に記憶された計算金額に加える加算ステップと、
前記キャッシュドロワと接続された端末機が、前記合計金額が加えられた計算金額に、前記記憶部に記憶された計算金額を更新する更新ステップと、をさらに含むキャッシュドロワ開放方法。
【請求項１５】
請求項１１に記載のキャッシュドロワ開放法において、
前記記憶部は、前記キャッシュドロワに収納されているべき現金の計算金額をさらに記憶し、
各端末機が、前記開放指示を含み顧客が購入した商品の決済を行う旨の会計確定指示を受け付ける受理ステップと、
各端末機が、前記受理ステップにて前記会計確定指示が受け付けられると、前記顧客が購入した商品の合計金額を計算する計算ステップと、
各端末機が、前記送信先識別情報が記憶されていると確認されると、前記合計金額を前記送信先識別情報にて特定される端末機に送信する金額送信ステップと、
前記キャッシュドロワが接続された端末機が、他の端末機から前記合計金額を受信する金額受信ステップと、
前記キャッシュドロワが接続された端末機が、前記受信された合計金額を前記記憶部に記憶された計算金額に加える加算ステップと、
前記キャッシュドロワが接続された端末機が、前記合計金額が加えられた計算金額に、前記記憶部に記憶された計算金額を更新する更新ステップと、をさらに含むキャッシュドロワ開放方法。
【請求項１６】
少なくとも一つは自動釣銭機と接続された複数の端末機を含む金銭管理システムが行う釣銭排出方法であって、
各端末機が、顧客が購入した商品の決済を行う旨の会計確定指示を受け付ける指示受付ステップと、
各端末機が、前記指示受付ステップにて前記会計確定指示が受け付けられると、前記合計金額を計算する演算ステップと、
前記自動釣銭機と接続された端末機が、前記自動釣銭機から、該自動釣銭機に入金された現金の支払金額を受信する現金受信ステップと、
各端末機が、前記自動釣銭機が接続されているか否かを判定する接続判定ステップと、
各端末機が、前記自動釣銭機が接続されていると判定されると、前記合計金額を前記支払金額から減算して釣銭額を算出する減算ステップと、
各端末機が、前記釣銭額の現金を排出する旨の排出指示を前記自動釣銭機に送信する排出ステップと、
各端末機が、前記自動釣銭機が接続されていないと判定されると、前記自動釣銭機が接続された端末機に、前記合計金額を送信する金送信ステップと、
前記自動釣銭機が接続された端末機が、他の端末機から顧客が購入した商品の合計金額を受信する受信部と、
前記自動釣銭機が接続された端末機が、前記合計金額を受信すると、前記合計金額を前記支払金額から減算して釣銭額を算出する演算ステップと、
前記自動釣銭機が接続された端末機が、前記釣銭額の現金を排出する旨の排出指示を前記自動釣銭機に送信する支払ステップと、を含む釣銭排出方法。
【発明の詳細な説明】
【技術分野】
【０００１】
本発明は、金銭管理システム、キャッシュドロワ開放方法および釣銭排出方法に関する。
【背景技術】
【０００２】
通常、商品管理を行うＰＯＳシステムは、顧客の購入商品の決済処理などを行う端末機と、その処理結果を印字したレシートを発行するプリンタと含む。また、多くの顧客に対して迅速な決済処理およびレシートの発行を行うために、複数のＰＯＳシステムを設置している店舗は、多い。
【０００３】
しかしながら、複数のＰＯＳシステムを設置するためには、広いスペースが必要となる。このため、複数のＰＯＳシステムが設置されると、売り場面積が減少するなどの問題点があった。また、狭い店舗では、複数のＰＯＳシステムを設置できない場合もあった。
【０００４】
このため、複数のＰＯＳシステムを設置するために必要なスペースを少なくすることが可能な技術が求められていた。
【０００５】
例えば、特許文献１（特開平１−１８８９８２号公報）に記載の取引処理装置では、複数の取引処理装置（端末機）が一台のプリンタを共有することで、複数のＰＯＳシステムを設置するためのスペースを少なくすることが可能になっている。
【０００６】
この取引処理装置には、プリンタと接続された取引処理装置と、プリンタと接続されていない取引処理装置とがある。プリンタと接続されていない取引処理装置は、レシートの内容を、プリンタが接続された取引処理装置に送信する。レシートの内容を受信した取引処理装置は、その内容のレシートを、接続しているプリンタに印字させる。
【０００７】
このため、全ての取引処理装置のそれぞれに対して、プリンタが接続されなくても、全ての取引処理装置からレシートを発行することが可能になる。このため、複数のＰＯＳシステムを設置するために必要なスペースを少なくすることが可能になっている。
【特許文献１】特開平１−１８８９８２号公報
【発明の開示】
【発明が解決しようとする課題】
【０００８】
通常、ＰＯＳシステムは、さらに現金収納装置を含む。現金収納装置は、例えば、キャッシュドロワまたは自動釣銭機などである。ＰＯＳシステムが現金収納装置を含む場合、全ての端末機のそれぞれに対して、現金収納装置が設置されるためには、広いスペースが必要となる。
【０００９】
また、ＰＯＳシステムを少ないスペースに設置するために、複数の端末機と一台の現金収納装置を設置した店舗もある。しかしながら、このような店舗では、以下のような問題点があった。
【００１０】
例えば、現金収納装置がキャッシュドロワの場合、キャッシュドロワと接続されていない端末機を操作する店員は、鍵を使用して手動でキャッシュドロワを開けていた。このため、手間がかかる。さらに、その手間を軽減するために、キャッシュドロワを施錠しないで用いる店舗もあるが、この場合、セキュリティーが低下する。
【００１１】
本発明の目的は、手間の増加が発生せずに、複数のＰＯＳシステムを設置するために必要なスペースを小さくすることが可能な端末機、キャッシュドロワ制御装置、自動釣銭機制御装置、キャッシュドロワ開放方法および釣銭排出方法を提供することである。
【課題を解決するための手段】
【００１２】
前記目的を達成するために、本発明の金銭管理システムは、端末機と、前記端末機およびキャッシュドロワとに接続されたキャッシュドロワ制御装置と、を含む金銭管理システムであって、前記端末機は、ユーザから前記キャッシュドロワを開ける旨の開放指示を受け付ける入力部と、前記入力部が受け付けた開放指示を、前記キャッシュドロワ制御装置に送信する送信部と、を含み、前記キャッシュドロワ制御装置は、前記端末機から前記開放指示を受信する受信部と、ユーザから前記開放指示を受け付ける受付部と、前記受信部が前記開放指示を受信したとき、および、前記受付部が前記開放指示を受け付けたとき、前記キャッシュドロワを開ける制御部と、を含む。
【００１３】
また、本発明のキャッシュドロワ開放方法は、端末機と、前記端末機およびキャッシュドロワとに接続されたキャッシュドロワ制御装置と、を含む金銭管理システムが行うキャッシュドロワ開放方法であって、前記端末機が、ユーザから前記キャッシュドロワを開ける旨の開放指示を受け付ける入力ステップと、前記端末機が、前記受け付けられた開放指示を、前記キャッシュドロワ制御装置に送信する送信ステップと、前記キャッシュドロワ制御装置が、前記端末機から前記開放指示を受信する受信ステップと、前記キャッシュドロワ制御装置が、前記開放指示が受信されると、前記キャッシュドロワを開ける開放ステップと、前記キャッシュドロワ制御装置が、ユーザから前記開放指示を受け付ける受付ステップと、前記キャッシュドロワ制御装置が、前記開放指示が受け付けられると、前記キャッシュドロワを開ける制御ステップと、を含む。
【００１４】
上記の発明によれば、端末機では、キャッシュドロワを開ける旨の開放指示が受け付けられると、その開放指示がキャッシュドロワ制御装置に送信される。キャッシュドロワ制御装置では、端末機から開放指示を受信すると、または、ユーザから開放指示を受け付けると、キャッシュドロワが開く。
【００１５】
このため、端末機からでも、キャッシュドロワ制御装置からでも、そのキャッシュドロワ制御装置に接続されたキャッシュドロワを開けることが可能になる。よって、端末機にキャッシュドロワが接続されていなくても、その端末機からキャッシュドロワを開けることが可能になる。したがって、手間の増加が発生せずに、複数のＰＯＳシステムを設置するために必要なスペースを小さくすることが可能になる。
【００１６】
また、本発明の金銭管理システムは、少なくとも一つはキャッシュドロワと接続された複数の端末機を含む金銭管理システムであって、各端末機は、前記キャッシュドロワを開ける旨の開放指示を受け付ける入力部と、前記キャッシュドロワが接続されている際に、他の端末機から前記開放指示を受信する受信部と、前記受信部が前記開放指示を受信すると、前記接続されたキャッシュドロワを開け、また、前記入力部が前記開放指示を受け付けると、前記キャッシュドロワが接続されているか否かを判定し、前記キャッシュドロワが接続されていると判定すると、前記接続されたキャッシュドロワを開ける制御部と、前記制御部にて前記キャッシュドロワが接続されていないと判定されると、前記キャッシュドロワと接続された端末機に、前記開放指示を送信する送信部と、を含む。
【００１７】
また、本発明のキャッシュドロワ開放方法は、少なくとも一つはキャッシュドロワと接続された複数の端末機を含む金銭管理システムが行うキャッシュドロワ開放方法であって、各端末機が、前記キャッシュドロワを開ける旨の開放指示を受け付ける入力ステップと、各端末機が、前記開放指示が受け付けられると、前記キャッシュドロワが接続されているか否かを判定する判定ステップと、各端末機が、前記キャッシュドロワが接続されていると判定されると、前記接続されたキャッシュドロワを開ける開放ステップと、各端末機が、前記キャッシュドロワが接続されていないと判定されると、前記キャッシュドロワと接続された端末機に、前記開放指示を送信する送信ステップと、各端末機が、他の端末機から前記開放指示を受信する受信ステップと、各端末機が、前記開放指示が受信されると、前記接続されたキャッシュドロワを開ける制御ステップと、を含む。
【００１８】
上記の発明によれば、開放指示が受け付けられると、キャッシュドロワが接続されているか否かが判定される。キャッシュドロワが接続されていると、そのキャッシュドロワが開く。また、キャッシュドロワが接続されていないと、キャッシュドロワと接続された端末機にその開放指示が送信される。その後、キャッシュドロワと接続された端末機にて開放指示が受信されると、そのキャッシュドロワが開く。
【００１９】
このため、端末機のそれぞれに対して、キャッシュドロワが接続されていなくても、全ての端末機からキャッシュドロワを開くことが可能になる。したがって、手間の増加が発生せずに、複数のＰＯＳシステムを設置するために必要なスペースを小さくすることが可能になる。
【００２０】
また、各端末機は、記憶部をさらに含み、前記入力部は、前記開放指示の送信先となる端末機を特定する送信先識別情報を受け付け、前記制御部は、前記入力部が前記送信先識別情報を受け付けると、該送信先識別情報を前記記憶部に記憶し、また、前記入力部が前記開放指示を受け付けると、前記記憶部に前記送信先識別情報が記憶されているか否かを確認し、前記送信先識別情報が記憶されていないと確認すると、前記キャッシュドロワが接続されているか否かを判定し、前記送信部は、前記制御部にて前記送信先識別情報が記憶されていると確認されると、該送信先識別情報にて特定される端末機に、前記開放指示を送信することが望ましい。
【００２１】
キャッシュドロワが接続されていても、そのキャッシュドロワに障害が発生して、そのキャッシュドロワが開かない可能性がある。
【００２２】
上記の発明によれば、開放指示の送信先となる端末機を特定する送信先識別情報が受け付けられると、その送信先識別情報が記憶される。また、開放指示が受け付けられると、送信先識別情報が記憶されているか否かが確認される。送信先識別情報が記憶されていると、その送信先識別情報にて特定される端末機に、開放指示が送信される。
【００２３】
このため、キャッシュドロワが接続されていても、送信先識別情報が記憶されていれば、その送信先識別情報にて特定される端末機と接続されたキャッシュドロワを開けることが可能になる。したがって、自己と接続されたキャッシュドロワが開かない場合でも、他の端末機に接続されたキャッシュドロワを開けることが可能になる。
【００２４】
また、各端末機の記憶部は、該端末機を特定する識別情報を記憶し、各端末機は、前記現在の日時を測定する測定部と、前記制御部にて前記送信先識別情報が記憶されていると確認されると、前記測定部から現在の日時を取得し、かつ、前記記憶部から前記識別情報を取得する生成部と、をさらに含み、前記送信部は、前記生成部が取得した日時および識別情報を前記送信先識別情報にて特定される端末機にさらに送信し、前記キャッシュドロワが接続された端末機の受信部は、他の端末機から、前記日時および識別情報を受信し、前記キャッシュドロワが接続された端末機の記憶部は、前記受信部が受信した日時および識別情報を関連づけて記憶することが望ましい。
【００２５】
上記の発明によれば、送信先識別情報が記憶されていると、現在の日時および識別情報が送信先識別情報にて特定される端末機に送信される。また、その端末機では、その日時および識別情報が関連づけられて記憶される。
【００２６】
このため、ユーザは、関連づけられた日時および識別情報を確認すれば、キャッシュドロワが開いた日時と、キャッシュドロワを開けた端末機を知ることが可能になる。したがって、不正にキャッシュドロワが開けられたか否かを知ることが可能になり、不正にキャッシュドロワが開けられることを抑制することが可能になる。
【００２７】
また、前記入力部は、前記開放指示を含み顧客が購入した商品の決済を行う旨の会計確定指示を受け付け、前記制御部は、前記入力部が前記会計確定指示を受け付けると、前記顧客が購入した商品の合計金額を計算し、かつ、前記送信先識別情報が記憶されているか否かを確認し、前記送信部は、前記制御部にて前記送信先識別情報が記憶されていないと確認されると、前記合計金額を前記送信先識別情報にて特定される端末機にさらに送信し、前記キャッシュドロワに接続された端末機の記憶部は、該キャッシュドロワに収納されているべき現金の計算金額を記憶し、前記キャッシュドロワに接続された端末機の受信部は、他の端末機から前記合計金額をさらに受信し、前記キャッシュドロワに接続された端末機は、前記受信部が受信した合計金額を前記記憶部に記憶された計算金額に加え、前記合計金額が加えられた計算金額に、前記記憶部に記憶された計算金額を更新する管理部をさらに含むことが望ましい。
【００２８】
複数の端末機からキャッシュドロワが開けられると、そのキャッシュドロワに収納されている現金の金額などを管理することは困難である。
【００２９】
上記の発明によれば、顧客が購入した商品の決済を行う旨の会計確定指示が受け付けられると、顧客が購入した商品の合計金額が計算され、その合計金額が、送信先識別情報にて特定される端末機に送信される。また、その端末機では、キャッシュドロワに収納されているべき現金の計算金額が記憶され、その計算金額に合計金額が加えられる。その後、その合計金額が加えられた計算金額が記憶される。
【００３０】
このため、商品の決済が行われるたびに、キャッシュドロワに収納されているべき現金の金額を更新することが可能になる。このため、複数の端末機からキャッシュドロワが開けられても、そのキャッシュドロワに収納されている現金の金額の管理を容易に行うことが可能になる。
【００３１】
また、本発明の金銭管理システムは、少なくとも一つは自動釣銭機と接続された複数の端末機を含む金銭管理システムであって、
各端末機は、
前記自動釣銭機が接続されている際に、該自動釣銭機から該自動釣銭機に入金された現金の支払金額を受信する接続部と、前記自動釣銭機が接続されている際に、他の端末機から顧客が購入した商品の合計金額を受信する受信部と、顧客が購入した商品の決済を行う旨の会計確定指示を受け付ける入力部と、前記入力部が前記会計確定指示を受け付けると、前記合計金額を計算し、その後、前記自動釣銭機が接続されているか否かを判定し、前記自動釣銭機が接続されていると判定されるとき、および、前記受信部が前記合計金額を受信したとき、前記合計金額を前記支払金額から減算して釣銭額を算出し、該釣銭額の現金を排出する旨の排出指示を前記自動釣銭機に送信する制御部と、前記制御部にて前記自動釣銭機が接続されていないと判定されると、前記自動釣銭機が接続された端末機に、前記合計金額を送信する送信部と、を含む。
【００３２】
また、本発明の釣銭排出方法は、少なくとも一つは自動釣銭機と接続された複数の端末機を含む金銭管理システムが行う釣銭排出方法であって、各端末機が、顧客が購入した商品の決済を行う旨の会計確定指示を受け付ける指示受付ステップと、各端末機が、前記指示受付ステップにて前記会計確定指示が受け付けられると、前記合計金額を計算する演算ステップと、前記自動釣銭機と接続された端末機が、前記自動釣銭機から、該自動釣銭機に入金された現金の支払金額を受信する現金受信ステップと、各端末機が、前記自動釣銭機が接続されているか否かを判定する接続判定ステップと、各端末機が、前記自動釣銭機が接続されていると判定されると、前記合計金額を前記支払金額から減算して釣銭額を算出する減算ステップと、各端末機が、前記釣銭額の現金を排出する旨の排出指示を前記自動釣銭機に送信する排出ステップと、各端末機が、前記自動釣銭機が接続されていないと判定されると、前記自動釣銭機が接続された端末機に、前記合計金額を送信する金送信ステップと、前記自動釣銭機が接続された端末機が、他の端末機から顧客が購入した商品の合計金額を受信する受信部と、前記自動釣銭機が接続された端末機が、前記合計金額を受信すると、前記合計金額を前記支払金額から減算して釣銭額を算出する演算ステップと、前記自動釣銭機が接続された端末機が、前記釣銭額の現金を排出する旨の排出指示を前記自動釣銭機に送信する支払ステップと、を含む。
【００３３】
上記の発明によれば、顧客が購入した商品の合計金額が計算されると、自動釣銭機が接続されているか否かが判定される。自動釣銭機が接続されていると、釣銭額の現金を排出する旨の排出指示を自動釣銭機に送信する。また、自動釣銭機が接続されていないと、その合計金額が、自動釣銭機と接続された端末機に送信される。その後、自動釣銭機と接続された端末機は、その自動釣銭機に排出指示を送信する。
【００３４】
このため、端末機のそれぞれに対して、自動釣銭機が接続されていなくても、全ての端末機から自動釣銭機に釣銭額の現金を排出させることが可能になる。したがって、手間の増加が発生せずに、複数のＰＯＳシステムを設置するために必要なスペースを小さくすることが可能になる。
【発明の効果】
【００３５】
本発明によれば、手間の増加が発生せずに、複数のＰＯＳシステムを設置するために必要なスペースを小さくすることが可能になる。
【発明を実施するための最良の形態】
【００３６】
以下、本発明の実施例について図面を参照して説明する。
【００３７】
図１は、本発明の一実施例の金銭管理システムを示したブロック図である。
【００３８】
図１において、金銭管理システムは、ＰＯＳレジスタ１および２と、キャッシュドロワ１００と、レシートプリンタ１０１および１０２とを含む。なお、図１では、ＰＯＳレジスタの数は、２だが、実際には複数であれば良い。
【００３９】
ＰＯＳレジスタ１および２は、例えば、イーサネットなどのＬＡＮにて、相互に接続される。なお、ＰＯＳレジスタ１および２がイーサネットにて接続される場合、ＰＯＳレジスタ１および２は、ＨＵＢ１０３を介して接続されても良いし、ＨＵＢ１０３を介さずに接続されてもよい。以下、ＰＯＳレジスタ１を親機１といい、ＰＯＳレジスタ２を子機２という。
【００４０】
親機１は、キャッシュドロワ１００と、キャッシュドロワインターフェースケーブル１０４を介して相互と接続される。
【００４１】
また、親機１および子機２は、レシートプリンタ１０１および１０２とそれぞれ接続される。
【００４２】
図２は、親機１の構成を示したブロック図である。
【００４３】
図２において、ＰＯＳレジスタ１は、入力部１１と、受信部１２と、管理部１３と、記憶部１４と、制御部１５と、接続部１６とを含む。
【００４４】
入力部１１は、所定の処理を行う旨の処理指示を受け付けると、その処理指示を制御部１５に出力する。処理指示には、例えば、両替を行う旨の両替指示と、顧客が購入した商品の決済を行う旨の会計確定指示とがある。また、両替指示および会計確定指示は、キャッシュドロワを開ける旨の開放指示を含む。
【００４５】
入力部１１は、例えば、タッチパネルである。また、タッチパネルは、少なくとも、店員が両替指示を入力するための両替ボタンと、店員が会計確定情報を入力するための会計確定ボタンとを含む。なお、入力部１１は、タッチパネルに限らず適宜変更可能である。
【００４６】
受信部１２は、子機２から管理ファイルを受信すると、その管理ファイルを管理部１３に出力する。管理ファイルは、少なくとも開放指示を含む。また、管理ファイルは、例えば、キャッシュドロワ１００を制御するためのトランザクションファイルである。
【００４７】
管理部１３は、受信部１２から管理ファイルを受け付けると、その管理ファイルを記憶部１４に記憶する。
【００４８】
なお、記憶部１４が管理ファイル用の管理フォルダを含む場合、管理部１３は、その管理ファイルを記憶部１４の管理フォルダの中に記憶する。
【００４９】
記憶部１４は、キャッシュドロワ１００を開ける旨の情報（以下では、オープンドライバという）を記憶する。
【００５０】
制御部１５は、入力部１１から処理指示を受け付けると、その処理指示に応じた処理を実行する。なお、制御部１５は、少なくとも、その処理指示が含む開放指示に従って、キャッドロワを開く。
【００５１】
また、制御部１５は、記憶部１４を監視し、記憶部１４に管理ファイルが記憶されているか否かを確認する。
【００５２】
なお、記憶部１４が管理フォルダを含む場合、制御部１５は、記憶部１４の管理フォルダを監視し、その管理フォルダの中に管理ファイルが記憶されているか否かを確認する。
【００５３】
この場合、制御部１４は、記憶部１０の中を全て監視する必要がなくなるため、管理ファイルが記憶されているか否かを、迅速に確認することが可能になる。以下では、記憶部１４は管理フォルダを含むとする。
【００５４】
制御部１５は、その記憶部１４の管理フォルダに管理ファイルが記憶されていると、キャッシュドロワ１００を開く。
【００５５】
なお、受信部１２が管理ファイルを受信すると、管理部１３が、その管理ファイルを記憶部１４に記憶する。その後、制御部１５は、その記憶部１４に管理ファイルが記憶されていること確認し、キャッシュドロワ１００を開く。このため、制御部１５は、受信部１２が管理ファイルを受信すると、キャッシュドロワ１００を開くことになる。
【００５６】
接続部１６は、キャッシュドロワインターフェースケーブル１０４を介してキャッシュドロワと接続される。
【００５７】
図３は、子機２の構成を示したブロック図である。
【００５８】
図３において、子機２は、入力部２１と、生成部２２と、送信部２３とを含む。
【００５９】
入力部２１は、店員から処理指示を受け付けると、その処理指示を生成部２２に出力する。入力部２１は、例えば、タッチパネルである。なお、入力部２１は、タッチパネルに限らず適宜変更可能である。
【００６０】
生成部２２は、入力部２１が処理指示を受け付けると、その処理指示を含む管理ファイルを生成する。
【００６１】
送信部２３は、生成部２２が管理ファイルを生成すると、その管理ファイルを親機１の受信部１２に送信する。
【００６２】
次に動作を説明する。
【００６３】
図４ａは、親機１の制御部１５の動作を説明するためのフローチャートである。
【００６４】
ステップＳ４１では、制御部１５は、入力部１１から処理指示を受け付けたか否かを確認する。制御部１５は、入力部１１から処理指示を受け付けないと、ステップＳ４２を実行し、入力部１１から処理指示を受け付けると、ステップＳ４３を実行する。
【００６５】
ステップＳ４２では、制御部１５は、記憶部１４の管理フォルダに管理ファイルが記憶されているか否かを確認する。制御部１５は、管理ファイルが記憶されていると、ステップＳ４３を実行し、管理ファイルが記憶されていないと、ステップＳ４１を実行する。
【００６６】
ステップＳ４３では、制御部１５は、キャッシュドロワ１００を開く。
【００６７】
具体的には、制御部１５は、記憶部１４からオープンドライバを取得し、そのオープンドライバを、接続部１６およびキャッシュドロワインターフェースケーブル１０４を介してキャッシュドロワ１００に送信する。キャッシュドロワ１００は、そのオープンドライバを受信すると、開く。
【００６８】
図４ｂは、子機２が処理指示を受け付けてから親機１が管理ファイルを記憶するまでの動作を説明するためのフローチャートである。
【００６９】
子機２の入力部２１は、店員から処理指示を受け付けると、ステップＳ４４を実行する。
【００７０】
ステップＳ４４では、入力部２１は、その処理指示を生成部２２に出力する。生成部２２は、処理指示を受け付けると、ステップＳ４５を実行する。
【００７１】
ステップＳ４５では、生成部２２は、その処理指示を含む管理ファイルを生成し、その管理ファイルを送信部２３に出力する。送信部２３は、その管理ファイルを受け付けると、ステップＳ４６を実行する。
【００７２】
ステップＳ４６では、送信部２３は、その管理ファイルを親機１の受信部１２に送信する。受信部１２は、その管理ファイルを受信すると、ステップＳ４７を実行する。
【００７３】
ステップＳ４７では、受信部１２は、その管理ファイルを管理部１３に出力する。管理部１３は、管理ファイルを受け付けると、その管理ファイルを記憶部１４の管理フォルダに記憶する。
【００７４】
本実施例によれば、入力部２１が開放指示を受け付けると、送信部２３は、その開放指示を親機１に送信する。親機１の受信部１２がその開放指示を受信すると、制御部１５は、キャッシュドロワ１００を開ける。また、入力部１１が開放指示を受け付けると、制御部１５は、キャッシュドロワ１００を開ける。
【００７５】
この場合、子機２からでも、親機１からでも、その親機１に接続されたキャッシュドロワ１００を開けることが可能になる。よって、子機２にキャッシュドロワが接続されていなくても、子機２からキャッシュドロワ１００を開けることが可能になる。したがって、手間の増加が発生せずに、複数のＰＯＳシステムを設置するために必要なスペースを小さくすることが可能になる。
【００７６】
次に、親機１および子機２が同じ構成を有するＰＯＳレジスタについて説明する。
【００７７】
図５は、親機１および子機２が同じ構成を有するＰＯＳレジスタの構成を示したブロック図である。なお、図５において、図２または図３と同じものには、同じ符号が付してある。また、親機１および子機２は同じ構成を有しているため、主に、親機１（ＰＯＳレジスタ１）を例にとって説明する。
【００７８】
この場合、キャッシュドロワは、ＰＯＳレジスタ１または２と接続される。また、ＰＯＳレジスタが３台以上ある場合、それらのＰＯＳレジスタの中で、少なくとも一つがキャッシュドロワと接続される。
【００７９】
図５において、ＰＯＳレジスタ１は、入力部１１と、受信部１２と、管理部１３と、記憶部１４と、制御部１５と、接続部１６と、生成部２２と、送信部２３とを含む。
【００８０】
なお、図３の入力部２１は、図２の入力部１１と同等な機能を有する。このため、親機および子機が同じ構成を有するＰＯＳレジスタでは、入力部１１または２１が含まれればよい。図５には、入力部１１を含むＰＯＳレジスタが示されている。
【００８１】
図６は、親機１および子機２が同じ構成を有するＰＯＳレジスタの動作を説明するためのフローチャートである。なお、図６において、図４ａまたは図４ｂと同じ処理には同じ符号が付してある。
【００８２】
ステップＳ４１で、ＰＯＳレジスタ１の制御部１５は、入力部１１から処理指示を受け付けると、ステップＳ６１を実行する。
【００８３】
ステップＳ６１では、制御部１５は、キャッシュドロワがＰＯＳレジスタ１と接続されているか否かを判定する。
【００８４】
具体的には、ＰＯＳレジスタ１がキャッシュドロワと接続されている場合、記憶部１４が、キャッシュドロワと接続されている旨の接続情報を記憶する。制御部１５は、記憶部１４と接続情報が記憶されているか否かを確認することで、キャッシュドロワが接続されているか否かを判定する。
【００８５】
制御部１５は、キャッシュドロワが接続されていると、ステップＳ４３を実行し、キャッシュドロワが接続されていない、ステップＳ６２を実行する。
【００８６】
ステップＳ６２では、制御部１５は、その処理指示を生成部２２に出力する。生成部２２は、処理指示を受け付けると、ステップＳ４５を実行する。
【００８７】
ステップＳ４５で、送信部２３は、管理ファイルを受け付けると、ステップＳ６３を実行する。
【００８８】
ステップＳ６３では、送信部２２は、その管理ファイルを、キャッシュドロワと接続されたＰＯＳレジスタの受信部１２に送信する。
【００８９】
具体的には、ＰＯＳレジスタ１がキャッシュドロワと接続されていない場合、記憶部１４は、処理指示の送信先となるＰＯＳレジスタを特定する送信先識別情報を記憶する。送信部２２は、管理ファイルを受け付けると、記憶部１４に記憶された送信先識別情報を確認し、その送信先識別情報にて特定されるＰＯＳレジスタに、その管理ファイルを送信する。なお、処理指示の送信先となるＰＯＳレジスタは、キャッシュドロワと接続されている。
【００９０】
管理ファイルの送信先のＰＯＳレジスタの受信部１２は、その管理ファイルを受信すると、ステップＳ４７を実行する。
【００９１】
本実施例では、入力部１１が開放指示を受け付けると、制御部１５は、キャッシュドロワが接続されているか否かを判定する。キャッシュドロワが接続されていると、制御部１５は、その接続されたキャッシュドロワを開く。一方、キャッシュドロワが接続されていないと、送信部２３は、キャッシュドロワが接続されたＰＯＳレジスタに、開放指示を送信する。
【００９２】
この場合、ＰＯＳレジスタのそれぞれに対して、キャッシュドロワが接続されていなくても、全てのＰＯＳレジスタからキャッシュドロワを開くことが可能になる。したがって、手間の増加が発生せずに、複数のＰＯＳシステムを設置するために必要なスペースを小さくすることが可能になる。
【００９３】
次に、店員が管理ファイルの送信先となるＰＯＳレジスタを設定することが可能なＰＯＳレジスタについて説明する。
【００９４】
図７は、店員が管理ファイルの送信先のＰＯＳレジスタを設定することが可能なＰＯＳレジスタの構成を示したブロック図である。なお、図７において、図５と同じものには同じ符号が付してある。
【００９５】
図７において、ＰＯＳレジスタ１は、図５で示した構成に加えて、表示部２４をさらに含む。
【００９６】
先ず、ＰＯＳレジスタに各種設定を行う処理について説明する。
【００９７】
入力部１１は、店員から接続設定画面を表示する旨の表示指示を受け付けると、その表示指示を制御部１５に出力する。制御部１５は、表示指示を受け付けると、接続設定画面を表示部２４に表示する。
【００９８】
図８は、接続設定画面の一例を示した説明図である。具体的には、ＰＯＳレジスタが８台ある場合の接続設定画面の一例を示した説明図である。以下では、８台のＰＯＳレジスタを、それぞれＰＯＳレジスタ１ないし８という。
【００９９】
図８において、接続設定画面８００は、接続ボタン８０１と、非接続ボタン８０２と、設定ボタン８０３と、送信先指定ボタン８１１ないし８１８を含む。なお、制御部１５は、送信先指定ボタン８１１ないし８１８をロックして、接続設定画面を表示部２４に表示する。なお、送信先指定ボタン８１１ないし８１８がロックされていると、店員は、送信先指定ボタン８１１ないし８１８を押下できない。
【０１００】
接続ボタン８０１は、店員が接続設定指示を入力するためのボタンである。接続設定指示は、接続情報を記憶する旨の指示である。
【０１０１】
非接続ボタン８０２は、店員が非接続設定指示を入力するためのボタンである。非接続設定指示は、接続情報を削除する旨の指示である。
【０１０２】
設定ボタン８０３は、店員が設定指示を入力するためのボタンである。設定指示は、処理指示の送信先となるＰＯＳレジスタを設定する旨の指示である。
【０１０３】
送信先指定ボタン８１１ないし８１８は、店員が送信先識別情報を入力するためのボタンである。
【０１０４】
接続ボタン８０１、非接続ボタン８０２、設定ボタン８０３および送信先指定ボタン８１１ないし８１８が押下されると、入力部１１が、それぞれ、接続指示、非接続指示、設定指示および送信先識別情報を受け付け、その接続指示、非接続指示、設定指示および送信先識別情報を制御部１５に出力する。
【０１０５】
なお、送信先指定ボタン８１１ないし８１８には、それぞれＰＯＳレジスタ１ないし８を特定する送信先識別情報が割り当てられている。送信先指定ボタン８１１ないし８１８のいずれか一つが押下されると、入力部１１は、その押下された送信先指定ボタンに割り当てられた送信先識別情報を受け付ける。
【０１０６】
制御部１５は、入力部１１から接続指示を受け付けると、接続情報を作成し、その接続情報を記憶部１４に記憶する。
【０１０７】
また、制御部１５は、入力部１１から非接続情報を受け付けると、記憶部１４に記憶された接続情報を削除する。
【０１０８】
また、制御部１５は、入力部１１から設定指示を受け付けると、送信先指定ボタン８１１ないし８１８のロックを解除して、店員が送信先指定ボタン８１１ないし８１８を押下できる状態にする。
【０１０９】
その後、制御部１５は、入力部１１から送信先識別情報を受け付けると、その送信先識別情報を記憶部１４に記憶する。
【０１１０】
次に、動作を説明する。
【０１１１】
図９は、管理ファイルの送信先のＰＯＳレジスタを設定することが可能なＰＯＳレジスタが、処理指示を受け付けた際の動作を説明するためのフローチャートである。なお、図９において、図６と同じ処理には同じ符号が付してある。
【０１１２】
ステップＳ４１で、制御部１５は、入力部１１から処理指示を受け付けると、ステップＳ９１を実行する。また、ステップＳ４２で、制御部１５は、管理ファイルが記憶されていることを確認すると、ステップＳ９１を実行する。
【０１１３】
ステップＳ９１では、制御部１５は、記憶部１４に送信先識別情報が記憶されているか否かを確認する。
【０１１４】
制御部１５は、送信先識別情報が記憶されていると確認すると、ステップＳ６２を実行し、送信先識別情報が記憶されていないと確認すると、ステップＳ６１を実行する。
【０１１５】
ステップＳ６１で、制御部１５は、キャッシュドロワが接続されていないと判定すると、ステップＳ９２を実行する。
【０１１６】
ステップＳ９２では、制御部１５は、エラーメッセージを表示部２４に表示する。
【０１１７】
エラーメッセージは、キャッシュドロワが接続されていない、かつ、送信先識別情報が記憶されていない旨の情報である。
【０１１８】
これにより、店員が、開けるキャッシュドロワを設定することが可能になっている。
【０１１９】
例えば、ＰＯＳレジスタ１および３にキャッシュドロワが接続されている場合に、ＰＯＳレジスタ１の入力部１１が、ＰＯＳレジスタ３を特定する送信先識別情報を受け付けると、制御部１５は、その送信先識別情報を記憶部１４に記憶する。その後、ＰＯＳレジスタ１の入力部１１が処理指示を受け付けると、送信部１２が処理指示を、ＰＯＳレジスタ３に送信する。
【０１２０】
この場合、ＰＯＳレジスタ１を操作している店員が、ＰＯＳレジスタ３に接続されたキャッシュドロワを開けることができる。
【０１２１】
本実施例では、入力部１１が送信先識別情報を受け付けると、制御部１５は、その送信先識別情報を記憶部１４に記憶する。また、入力部１１が開放指示を受け付けると、制御部１５は、記憶部１４に送信先識別情報が記憶されているか否かを確認する。送信先識別情報が記憶されていると、送信部２３は、その送信先識別情報にて特定されるＰＯＳレジスタに、その開放指示を送信する。
【０１２２】
この場合、キャッシュドロワが接続されていても、送信先識別情報が記憶されていれば、その送信先識別情報にて特定されるＰＯＳレジスタと接続されたキャッシュドロワを開けることが可能になる。したがって、接続されたキャッシュドロワが開かない場合でも、他のＰＯＳレジスタからキャッシュドロワを開けることが可能になる。
【０１２３】
次に、キャッシュドロワが不正に開けられることを抑制することが可能なＰＯＳレジスタについて説明する。
【０１２４】
図１０は、キャッシュドロワが不正に開けられることを抑制することが可能なＰＯＳレジスタの構成を示したブロック図である。なお、図１０において、図７と同じものには同じ符号が付してある。
【０１２５】
図１０において、ＰＯＳレジスタ１は、図７で示した構成に加えて、測定部２５をさらに含む。また、測定部２５は、現在の日時を測定する。
【０１２６】
次に動作を説明する。なお、主に、図９と異なる処理について説明する。
【０１２７】
ステップＳ６２で、生成部２２は、処理指示を受け付けると、測定部２５から現在の日時を取得し、かつ、記憶部１４から識別情報を取得する。
【０１２８】
その後、生成部２２は、その処理指示、日時および識別情報を含む管理ファイルを生成し、その管理ファイルを送信部２３に出力する。送信部２３は、管理ファイルを受け付けると、ステップＳ６３を実行する。その後、ステップＳ６３およびＳ４７が実行される。
【０１２９】
ステップＳ４７で、管理部１３は、管理ファイルを受け付けると、その管理ファイルに含まれる識別情報および日時を関連づけた履歴情報を作成する。管理部１３は、その履歴情報を記憶部１４に記憶すると共に、その管理ファイルを記憶部１４の管理フォルダに記憶する。
【０１３０】
また、入力部１１は、履歴情報を閲覧する旨の閲覧指示を受け付けると、その閲覧指示を制御部１５に出力する。
【０１３１】
制御部１５は、入力部１１から閲覧指示を受け付けると、記憶部１４に記憶された履歴情報を取得し、その履歴情報を表示部２４に表示する。
【０１３２】
また、生成部２２は、真正な店員を認証するための認証情報をさらに含む管理ファイルを生成しても良い。認証情報は、例えば、パスワードである。なお、認証情報は、パスワードに限らず適宜変更可能である。
【０１３３】
この場合、記憶部１４は、真正な店員を認証するための認証情報を記憶する。
【０１３４】
ステップＳ４１で、制御部１５は、入力部１１から処理指示を受け付けると、入力部１１から認証情報を受け付けるまで待機する。
【０１３５】
その後、入力部１１は、店員から認証情報を受け付けると、その認証情報を制御部１５に出力する。制御部１５は、入力部１１から認証情報を受け付けると、その認証情報と同じ認証情報が記憶部１４に記憶されているか否かを確認する。
【０１３６】
認証情報と同じ認証情報が記憶部１４に記憶されていると、制御部１５は、その認証情報および処理指示を生成部２２に出力する。生成部２２は、その認証情報および処理指示を受け付けると、測定部２５から現在の日時を取得し、かつ、記憶部１４から識別情報を取得する。
【０１３７】
生成部２２は、その処理指示、識別情報、日時および識別情報を含む管理ファイルを生成し、その管理ファイルを送信部２３に出力する。送信部２３は、管理ファイルを受け付けると、ステップＳ６３を実行する。その後、ステップＳ６３およびステップＳ４７が実行される。
【０１３８】
また、管理部１５は、受信部１２から管理ファイルを受け付けると、その管理ファイルに含まれる識別情報、日時および認証情報を関連づけた履歴情報を作成する。管理部１５は、その履歴情報を記憶部１４に記憶する。
【０１３９】
この場合、認証情報から個人が特定できれば、いつ誰がキャッシュドロワを開けたかが分かる。このため、不正を抑止することが可能になる。
【０１４０】
本実施例では、測定部２５は、現在の日時を測定する。記憶部１４は、自己を特定する識別情報を特定する。生成部２２は、測定部２５から現在の日時を取得し、記憶部１４から識別情報を取得する。送信部２３は、生成部２２が取得した日時および識別情報を、送信先識別情報にて特定されるＰＯＳレジスタに送信する。
【０１４１】
また、送信先のＰＯレジスタの受信部１２が、開放指示、日時および識別情報を受信すると、その日時および識別情報が関連づけられた履歴情報が記憶される。その後、入力部１１が閲覧指示を受け付けると、制御部１５は、その履歴情報を表示部２４に表示する。
【０１４２】
この場合、キャッシュドロワが開いた日時と、処理指示を送信したＰＯＳレジスタを知ることが可能になる。したがって、不正にキャッシュドロワが開けられたか否かを知ることが可能になり、不正にキャッシュドロワが開けられることを抑止することが可能になる。
【０１４３】
次に、現金管理を行うことが可能なＰＯＳレジスタについて説明する。なお、このＰＯＳレジスタは、図９で示したＰＯＳレジスタと同じ構成を有する。
【０１４４】
キャッシュドロワと接続されたＰＯＳレジスタの記憶部１４は、事前準備金額および計算在高を記憶する。事前準備金額は、キャッシュドロワに事前に収納された現金の金額である。また、計算在高は、キャッシュドロワに収納されているべき現金の金額であり、事前準備金額に顧客が支払った現金の金額を加えた金額である。
【０１４５】
また、記憶部１４は、商品の価格を、その商品を特定する商品コードごとに記憶する。
【０１４６】
制御部１５は、決済処理を行う。
【０１４７】
具体的には、先ず、入力部１１は、店員から商品コードを受け付けると、その商品コードを制御部１５に出力する。制御部１５は、商品コードを受け付けると、その商品コードにて特定される商品の価格を記憶部１４から取得する。
【０１４８】
その後、制御部２５は、入力部１１から会計確定指示を受け付けると、取得した価格を合計して、顧客が購入した商品の合計金額を計算する。
【０１４９】
次に動作を説明する。主に、図９と異なる処理について説明する。
【０１５０】
ステップＳ４１で、制御部２５は、入力部１１から処理指示として会計確定指示を受け付けると、顧客が購入した商品の合計金額を計算する。制御部２５は、合計金額を計算すると、ステップＳ９１を実行する。
【０１５１】
ステップＳ９１で、制御部２５は、送信先識別情報が記憶されていると確認されると、その合計金額および会計確定指示を生成部２２に出力する。
【０１５２】
生成部２２は、合計金額および会計確定指示を受け付けると、その合計金額および会計確定指示を含む管理ファイルを生成し、その管理ファイルを送信部２３に出力する。送信部２３は、管理ファイルを受け付けると、ステップＳ６３を実行する。その後、ステップＳ６３およびＳ４７が実行される
ステップＳ４７で、管理ファイルの送信先のＰＯＳレジスタの受信部１２は、その管理ファイルを受け付けると、その管理ファイルを管理部１３に出力する。
【０１５３】
管理部１３は、受信部１２から管理ファイルを受け付けると、その管理ファイルが含む合計金額を、記憶部１４に記憶された計算在高に加える。管理部１３は、合計金額が加えられた計算在高に、記憶部１４に記憶された計算在高を更新する。
【０１５４】
一方、ステップＳ９１で、制御部２５は、送信先識別情報が記憶されていないと確認されると、ステップＳ６１が実行される。
【０１５５】
ステップＳ６１で、制御部２５は、キャッシュドロワと接続されていると判定すると、記憶部１４に記憶された計算在高を取得し、その計算在高に、その合計金額を加える。制御部２５は、合計金額を加えた計算在高に、記憶部１４に記憶された計算在高を更新する。
【０１５６】
また、店員は、そのキャッシュドロワに実際に収納されている現金の金額（以下、実現金在高という）を計算する。
【０１５７】
入力部１１は、店員からその実現金在高を受け付けると、その実現金在高を制御部１５に出力する。
【０１５８】
制御部１５は、入力部１１から実現金在高を受け付けると、その実現在高から、記憶部１４に記憶された計算在高を減算し、過不足金額（過剰金額または不足金額）を計算する。
【０１５９】
制御部１５は、過不足金額を計算すると、その過不足金額を表示部２４に表示する。
【０１６０】
本実施例では、入力部１１が会計確定指示を受け付けると、制御部１５は、顧客が購入した商品の合計金額を計算する。その後、送信部２３は、制御部１５にて送信先識別情報が記憶されていると確認されると、記憶部１４に記憶された送信先識別情報にて特定されるＰＯＳレジスタに、合計金額および開放指示を送信する。
【０１６１】
また、送信先のＰＯＳレジスタの受信部１２が、合計金額および開放指示を受信すると、管理部１３は、その合計金額に、記憶部１４に記憶された計算在高を加え、その合計金額が加えられた計算金額に、記憶部１４に記憶された計算在高を更新する。
【０１６２】
この場合、複数のＰＯＳレジスタからキャッシュドロワが開けられる場合でも、キャッシュドロワに収納されている現金の金額などを管理することが可能になる。
【０１６３】
次に、キャッシュドロワの代わりに、自動釣銭機を含む金銭管理システムについて説明する。
【０１６４】
この場合、金銭管理システムは、図１で示した金銭管理システムのキャッシュドロワ１００の代わりに、自動釣銭機を含む。また、キャッシュドロワインターフェースケーブル１０４の代わりに、自動釣銭機インターフェースケーブルを含み、ＰＯＳレジスタ１および自動釣銭機は、自動釣銭機インターフェースケーブルを介して接続されているとする。
【０１６５】
自動釣銭機は、硬貨が入金される硬貨タイプでも良いし、紙幣が入金される紙幣タイプでも良いし、紙幣および硬貨の少なくともどちらか一方が入金される紙幣硬貨タイプでも良い。
【０１６６】
ＰＯＳレジスタ１および２は、両方とも図７で示した構成と同じ構成を有する。このため、自動釣銭機は、ＰＯＳレジスタ２に接続されてもよい。また、ＰＯＳレジスタが３台以上ある場合には、それらのＰＯＳレジスタは、少なくとも一つが自動釣銭機に接続されていればよい。
【０１６７】
接続部１６は、自動釣銭機と自動釣銭機インターフェースケーブルを介して接続される。また、接続部１６は、自動釣銭機から、その自動釣銭機に投入された現金の金額（以下、支払金額）を受信し、その支払金額を制御部１５に出力する。
【０１６８】
次に動作を説明する。なお、主に、現金管理を行うことが可能なＰＯＳレジスタが行う処理と異なる処理について説明する。
【０１６９】
また、ＰＯＳレジスタ（具体的には、制御部１５）が、顧客が購入した商品の合計金額を表示部２４に表示する。その後、顧客は、自動釣銭機に支払金額の現金を自動釣銭機に入金したとする。なお、支払金額は、合計金額以上とする。
【０１７０】
ステップＳ９１で、制御部２５は、送信先識別情報が記憶されていると確認されると、その合計金額および会計確定指示を生成部２２に出力する。
【０１７１】
その後、送信先識別情報にて特定されるＰＯＳレジスタの管理部１３は、受信部１２から管理ファイルを受け付けると、その管理ファイルを記憶部１４の管理フォルダに記憶する。
【０１７２】
一方、ステップＳ９１で、制御部２５は、送信先識別情報が記憶されていると確認されると、接続部１６から支払金額を受け付けたか否かを確認する。
【０１７３】
制御部２５は、算出した合計金額からその支払金額を減算して釣銭額を算出する。
【０１７４】
また、ステップＳ４２で、制御部２５は、記憶部１４の管理フォルダに管理ファイルが記憶されていることを確認すると、接続部１６から支払金額を受け付けたか否かを確認する。
【０１７５】
制御部２５は、支払金額を受け付けると、記憶部１４の管理フォルダに記憶された管理ファイルが含む合計金額を確認する。制御部１５は、その合計金額から支払金額を減算して釣銭額を計算する。
【０１７６】
制御部１５は、釣銭額を計算すると、その釣銭額を自動釣銭機に排出させる。
【０１７７】
具体的には、制御部１５は、その釣銭額の現金を排出する旨の排出指示を、接続部１６を介して、自動釣銭機に送信する。自動釣銭機は、その排出指示を受け付けると、その排出指示にて排出が指示された釣銭額の現金を排出する。
【０１７８】
例えば、管理ファイルが含む合計金額が３００円であり、自動釣銭機（硬貨タイプ）に５００円が入金された場合、制御部１５は、５００円から３００円を減算して釣銭額を２００円と計算する。制御部１５は、その釣銭額「２００円」を自動釣銭機から排出させる。
【０１７９】
また、管理ファイルが含む合計金額が３００円であり、自動釣銭機（紙幣タイプ）に１０００円が入金された場合、制御部１５は、１０００円から３００円を減算して釣銭額を７００円と計算する。制御部１５は、その釣銭額「７００円」を自動釣銭機から排出させる。
【０１８０】
本実施例では、接続部１６は、自動釣銭機と接続されていると、その自動釣銭機から支払金額を受信する。入力部１３が会計確定指示を受け付けると、制御部１５は、顧客が購入した商品の合計金額を計算し、かつ、自動釣銭機が接続されているか否かを判定する。受信部１２は、他のＰＯＳレジスタから合計金額を受信する。
【０１８１】
制御部１５は、自動釣銭機が接続されていると判定する、または、受信部１２が合計金額を受信すると、その合計金額を支払金額から減算して釣銭額を計算する。制御部１５は、その釣銭額の現金を排出する旨の排出指示を自動釣銭機に送信する。
【０１８２】
この場合、ＰＯＳレジスタのそれぞれに対して、自動釣銭機が接続されていなくても、全てのＰＯＳレジスタから自動釣銭機に釣銭額の現金を排出させることが可能になる。したがって、手間の増加が発生せずに、複数のＰＯＳシステムを設置するために必要なスペースを小さくすることが可能になる。
【０１８３】
以上説明した実施例において、図示した構成は単なる一例であって、本発明はその構成に限定されるものではない。
【図面の簡単な説明】
【０１８４】
【図１】本発明の一実施例のＰＯＳシステムを示したブロック図である。
【図２】親機の構成を示したブロック図である。
【図３】子機の構成を示したブロック図である。
【図４ａ】制御部の動作の一例を説明するためのフローチャートである。
【図４ｂ】ＰＯＳシステムの動作の一例を説明するためのフローチャートである。
【図５】ＰＯＳレジスタの構成を示したブロック図である。
【図６】ＰＯＳシステムの他の動作例を説明するためのフローチャートである。
【図７】ＰＯＳレジスタの他の構成例を示したブロック図である。
【図８】接続設定画面の一例を示した説明図である。
【図９】ＰＯＳレジスタの他の動作例を説明するためのフローチャートである。
【図１０】ＰＯＳレジスタの他の構成例を示したブロック図である。
【符号の説明】
【０１８５】
１      ＰＯＳレジスタ
２      ＰＯＳレジスタ
１１    入力部
１２    受信部
１３    管理部
１４    記憶部
１５    制御部
１６    接続部
２１    入力部
２２    生成部
２３    送信部
２４    表示部
２５    測定部
１００  キャッシュドロワ
１０１  プリンタ
１０２  プリンタ
１０３  ＨＵＢ
１０４  キャッシュドロワインターフェースケーブル
【図１】
2007286878.tif 000003
【図２】
2007286878.tif 000004
【図３】
2007286878.tif 000005
【図４ａ】
2007286878.tif 000006
【図４ｂ】
2007286878.tif 000007
【図５】
2007286878.tif 000008
【図６】
2007286878.tif 000009
【図７】
2007286878.tif 000010
【図８】
2007286878.tif 000011
【図９】
2007286878.tif 000012
【図１０】
2007286878.tif 000013